(57)【特許請求の範囲】
【請求項１】
食品を加熱する加熱部と、使用者に加熱調理器の状態を表示する表示部と、複数のメニューの中から所定のメニューを選択するためのメニュー選択部と、を備え、前記表示部には、それぞれのメニューが選択されているか否かを表示するメニューランプを有し、
前記メニュー選択部が操作されメニュー選択状態以外からメニュー選択状態に移行した際に、次に前記メニュー選択部が操作されるまでの間、前記表示部は、選択されているメニューに該当する前記メニューランプを第１の輝度で点滅し、且つ選択されていないメニューに該当する前記メニューランプを前記第１の輝度で点灯表示した後、
前記メニュー選択部が更に操作されると、いずれかのメニューを選択している状態では選択されているメニューに該当する前記メニューランプを第１の輝度で点滅し、且つ選択されていないメニューに該当する前記メニューランプを第１の輝度よりも低い第２の輝度で点灯する加熱調理器。
【請求項２】
食品を加熱する加熱部と、使用者に加熱調理器の状態を表示する表示部と、複数のメニューの中から所定のメニューを選択するためのメニュー選択部と、を備え、前記表示部には、それぞれのメニューが選択されているか否かを表示するメニューランプを有し、
前記メニュー選択部が操作されメニュー選択状態以外からメニュー選択状態に移行した際に、一定の時間、前記表示部は、選択されているメニューに該当する前記メニューランプを第１の輝度で点滅し、且つ選択されていないメニューに該当する前記メニューランプを前記第１の輝度で点灯表示した後、
いずれかのメニューを選択している状態では選択されているメニューに該当する前記メニューランプを第１の輝度で点滅し、且つ選択されていないメニューに該当する前記メニューランプを第１の輝度よりも低い第２の輝度で点灯する加熱調理器。
【請求項３】
前記メニュー選択状態において、加熱切／入キーが操作されると前記メニュー選択状態以外に移行し、前記表示部は、選択された前記メニューランプを第１の輝度で点灯し、且つ選択されていないメニューに該当する前記メニューランプを消灯し、前記加熱部は、選択された前記メニューの加熱を開始する請求項１または２に記載の加熱調理器。
【発明の詳細な説明】
【技術分野】
【０００１】
本発明は、使用者が選択可能なメニューの把握が容易で、現在選択されているメニューを一目で認識できる視認性に優れた加熱調理器に関するものである。
【背景技術】
【０００２】
従来、この種の加熱調理器は、操作パネルに設けられた操作子と、前記操作パネルに設けられ調理メニュー等を点灯表示する複数の表示部と、加熱調理開始前の初期状態で前記操作子が最初に操作されたときに前記表示部の全部を点灯する第一の制御手段と、前記操作子が次に操作されたときに前記複数の表示部のうち該操作子に関連する表示部を点灯したまま他の表示部を消灯する第２の表示制御手段を備えていた（例えば、特許文献１参照）。
【先行技術文献】
【特許文献】
【０００３】
【特許文献１】特開平６−２４１４７７号公報
【発明の概要】
【発明が解決しようとする課題】
【０００４】
しかしながら、従来の構成では、操作された状態以外の表示部は消灯するため、調理メニューの選択時では他の選択可能なメニューの認識が難しい。
【０００５】
また、選択しているメニュー表示を点滅表示し、他のメニュー表示を点灯する方法も従来技術として存在するが、点滅している表示部と点灯している表示部の輝度に差が無いため一目では区別がつきにくいという課題を有していた。
【０００６】
本発明は、前記従来の課題を解決するもので、選択されていないメニューに該当するメニューランプの輝度を選択しているメニューに該当するメニューランプの輝度よりも低く点灯させることで、使用者が選択可能な全てメニューの把握が即座に可能となると同時に、現在選択されているメニューを一目で認識することができる視認性に優れた加熱調理器を提供することを目的とする。
【課題を解決するための手段】
【０００７】
前記従来の課題を解決するために、本発明の加熱調理器は、食品を加熱する加熱部と、使用者に加熱調理器の状態を表示する表示部と、複数のメニューの中から所定のメニューを選択するためのメニュー選択部と、を備え、前記表示部には、それぞれのメニューが選択されているか否かを表示するメニューランプを有し、前記メニュー選択部が操作されメニュー選択状態以外からメニュー選択状態に移行した際に、次に前記メニュー選択部が操作されるまでの間、前記表示部は、選択されているメニューに該当する前記メニューランプを第１の輝度で点滅し、且つ選択されていないメニューに該当する前記メニューランプを前記第１の輝度で点灯表示した後、前記メニュー選択部が更に操作されると、前記表示部はいずれかのメニューを選択している状態では選択されているメニューに該当するメニューランプを第１の輝度で点滅し、選択されていないメニューに該当するメニューランプを第１の輝度よりも低い第２の輝度で点灯するものである。
【０００８】
この構成により、使用者が選択可能な全てメニューの把握が即座に可能となると同時に、現在選択されているメニューを一目で認識することができ、視認性に優れた加熱調理器を提供することが可能となる。また、メニュー選択状態以外からメニュー選択状態に移行した際に全メニューランプを第２の輝度より明るい第１の輝度で表示することで、使用者が始めに全メニューの把握を確実に行なうことが可能となり、続けてメニューを選択する場合には選択中のメニューランプが他のメニューランプよりも高い輝度で点滅していることから、現在選択中のメニューを一目で把握することができ、選択していないメニューランプも点灯しているので選択可能なメニュー全てを把握することが可能となる。
【発明の効果】
【０００９】
本発明の加熱調理器は、使用者が選択可能な全てメニューの把握が即座に可能となると同時に、現在選択されているメニューを一目で認識することができる。また、メニュー選択状態以外からメニュー選択状態に移行した際に全メニューランプを第２の輝度より明るい第１の輝度で表示することで、使用者が始めに全メニューの把握を確実に行なうことが可能となり、続けてメニューを選択する場合には選択中のメニューランプが他のメニューランプよりも高い輝度で点滅していることから、現在選択中のメニューを一目で把握することができ、選択していないメニューランプも点灯しているので選択可能なメニュー全てを把握することが可能となる。
【図面の簡単な説明】
【００１０】
【図１】本発明の実施の形態１における加熱調理器のメニューランプの状態を示す図
【図２】本発明の実施の形態１における加熱調理器の構成を示すブロック図
【図３】本発明の実施の形態１における加熱調理器の表示部と操作部を表した図
【図４】（Ａ）本発明の実施の形態１における加熱調理器の表示部の全てが表示されている状態図（Ｂ）本発明の実施の形態１における加熱調理器の電源を入れた時の表示部の状態図（Ｃ）本発明の実施の形態１における加熱調理器のメニュー選択キーを押下げた時の表示部の状態図（Ｄ）メニュー選択時の従来の表示状態図（Ｅ）メニュー選択時の従来の表示状態図
【図５】（Ａ）本発明の実施の形態１における加熱調理器の表示部の全てが表示されている状態図（Ｂ）本発明の実施の形態１における加熱調理器のメニュー選択キーを押下げた時の表示部の状態図（Ｃ）本発明の実施の形態１における加熱調理器のメニュー選択キーを更に押下げた時の表示部の状態図（Ｄ）本発明の実施の形態１における加熱調理器のメニュー選択キーを更に押下げた時の表示部の状態図（Ｅ）本発明の実施の形態１における加熱調理器の加熱切／入キーを押下げた時の表示部の状態図
【図６】（Ａ）本発明の実施の形態１における加熱調理器の第１の輝度でメニューランプを点灯（点滅）させる場合のＬＥＤのオン時間を表した図（Ｂ）本発明の実施の形態１における加熱調理器の第２の輝度で点灯（点滅）させる場合のＬＥＤのオン時間を表した図
【図７】（Ａ）本発明の実施の形態２における加熱調理器のメニューランプの状態を示す図（Ｂ）本発明の実施の形態２における加熱調理器の電源を入れた時の表示部の状態図（Ｃ）本発明の実施の形態２における加熱調理器のメニュー選択キーを押下げた時の表示部の状態図（Ｄ）本発明の実施の形態２における加熱調理器のメニュー選択キーを更に押下げた時の表示部の状態図（Ｅ）本発明の実施の形態２における加熱調理器のメニュー選択キーを更に押下げた時の表示部の状態図
【図８】（Ａ）本発明の実施の形態３における加熱調理器の表示部の状態を示した図（Ｂ）本発明の実施の形態３における加熱調理器の電源を入れた時の表示部の状態図（Ｃ）本発明の実施の形態３における加熱調理器のメニュー選択キーを押下げた時の表示部の状態図（Ｄ）本発明の実施の形態３における加熱調理器のメニュー選択キーを更に押下げた時の表示部の状態図（Ｅ）本発明の実施の形態３における加熱調理器のメニュー選択キーを押下げ後所定時間経過した際の表示部の状態図
【発明を実施するための形態】
【００１１】
第１の発明は、食品を加熱する加熱部と、使用者に加熱調理器の状態を表示する表示部と、複数のメニューの中から所定のメニューを選択するためのメニュー選択部と、を備え、前記表示部には、それぞれのメニューが選択されているか否かを表示するメニューランプを有し、前記メニュー選択部が操作されメニュー選択状態以外からメニュー選択状態に移行した際に、次に前記メニュー選択部が操作されるまでの間、前記表示部は、選択されているメニューに該当する前記メニューランプを第１の輝度で点滅し、且つ選択されていないメニューに該当する前記メニューランプを前記第１の輝度で点灯表示した後、前記メニュー選択部が更に操作されると、前記表示部はいずれかのメニューを選択している状態では選択されているメニューに該当するメニューランプを第１の輝度で点滅し、選択されていないメニューに該当するメニューランプを第１の輝度よりも低い第２の輝度で点灯するものである。
【００１２】
これによって、使用者は選択中の加熱メニューランプが他のメニューランプよりも高い輝度で点滅していることから、現在選択中のメニューを一目で把握することができる。また、選択していないメニューランプも点灯しているので選択可能なメニュー全てを即座に把握することが可能となる。このようにメニュー選択時に選択されているメニューランプの輝度と選択されていないメニューランプの輝度を変えることで視認性に優れた表示を行なうことが可能となる。また、メニュー選択状態以外からメニュー選択状態に移行した際に全メニューランプを第２の輝度より明るい第１の輝度で表示することで、使用者が始めに全メニューの把握を確実に行なうことが可能となり、続けてメニューを選択する場合には選択中のメニューランプが他のメニューランプよりも高い輝度で点滅していることから、現在選択中のメニューを一目で把握することができ、選択していないメニューランプも点灯しているので選択可能なメニュー全てを把握することが可能となる。
【００１３】
第２の発明は、食品を加熱する加熱部と、使用者に加熱調理器の状態を表示する表示部と、複数のメニューの中から所定のメニューを選択するためのメニュー選択部と、を備え、前記表示部には、それぞれのメニューが選択されているか否かを表示するメニューランプを有し、前記メニュー選択部が操作されメニュー選択状態以外からメニュー選択状態に移行した際に、一定の時間、選択されていないメニューに該当するメニューランプを第１の輝度で点灯表示した後、いずれかのメニューを選択している状態では選択されているメニューに該当する前記メニューランプを第１の輝度で点滅し、且つ選択されていないメニューに該当する前記メニューランプを第１の輝度よりも低い第２の輝度で点灯するものである。
【００１５】
これによって、使用者は選択中の加熱メニューランプが他のメニューランプよりも高い輝度で点滅していることから、現在選択中のメニューを一目で把握することができる。また、選択していないメニューランプも点灯しているので選択可能なメニュー全てを即座に把握することが可能となる。このようにメニュー選択時に選択されているメニューランプの輝度と選択されていないメニューランプの輝度を変えることで視認性に優れた表示を行なうことが可能となる。またメニュー選択状態以外からメニュー選択状態に移行した際に全メニューランプを第２の輝度より明るい第１の輝度で表示することで、使用者が始めに全メニューの把握を確実に行なうことが可能となり、続けてメニューを選択する場合には選択中のメニューランプが他のメニューランプよりも高い輝度で点滅していることから、現在選択中のメニューを一目で把握することができ、選択していないメニューランプも点灯しているので選択可能なメニュー全てを把握することが可能となる。
【００１６】
第３の発明は、特に、第１または第２の発明において、前記メニュー選択状態において、加熱切／入キーが操作されると前記メニュー選択状態以外に移行し、前記表示部は、選択された前記メニューランプを第１の輝度で点灯し、且つ選択されていないメニューに該当する前記メニューランプを消灯し、前記加熱部は、選択された前記メニューの加熱を開始するものである。
【００１７】
これによって、使用者は、メニュー選択状態からメニュー選択状態以外である加熱開始状態に移行したこと、及び選択され加熱開始したメニューを把握することが可能となる。
【００１８】
以下、本発明の実施の形態について、図面を参照しながら説明する。なお、この実施の形態によって本発明が限定されるものではない。
【００１９】
（実施の形態１）
まず、加熱調理器である誘導加熱調理器の全体構成について図２を用いて説明する。図２は、本発明の第１の実施の形態における加熱調理器の構成を示すブロック図である。
【００２０】
図２において、鍋１を設置するトッププレート２と、トッププレート２の下に設けられ、鍋１を加熱する加熱部である誘導加熱コイル３と、誘導加熱コイル３に流れる電流を制限するためインバータ４と、インバータ４を制御する制御部５と、使用者に機器の状態を表示する表示部１０、使用者が機器を操作するための操作部１３を有する。
【００２１】
基本的な動作としては、使用者が操作部１３にあるキーを入力することにより制御部５がインバータ４を制御して誘導加熱コイル３に高周波電流を流し、誘導加熱コイル３から発生した磁束により鍋１に渦電流を発生させることで鍋１を加熱する。
【００２２】
このとき、制御部５は表示部１０に機器の状態を表示させ、使用者が機器の状態を把握することができる。
【００２３】
次に表示部１０および操作部１３の構成を図３を用いて説明する。図３は、本発明の第１の実施の形態における加熱調理器の表示部と操作部を表した図である。図３において、表示部１０には火力表示部１１とメニュー表示部１２を有する。
【００２４】
火力表示部１１は加熱する際の出力を表している。メニュー表示部１２は加熱する際の調理メニューを表している。メニュー表示部１２は図の様にメニューランプ１２Ｌである加熱メニューランプ１２ａ、揚物メニューランプ１２ｂ、湯沸しメニューランプ１２ｃ、炊飯メニューランプ１２ｄの４種類を有している。
【００２５】
火力表示部１１とメニュー表示部１２の各文字はメンブレンシートであり、各文字をシートの裏側からＬＥＤで発光させて表示することができる。操作部１３には加熱調理器である誘導加熱調理器を操作するためのキーが複数あり、火力ダウンキー１３ａ、火力アップキー１３ｂ、メニュー選択部であるメニュー選択キー１３ｃ、加熱切／入キー１３ｄの４種類がある。
【００２６】
以上のように構成された誘導加熱調理器について、以下その動作、作用を説明する。
【００２７】
図１は本発明の第１の実施の形態における加熱調理器のメニューランプの状態を示す図である。メニュー選択キーが押下げられた時の、メニューランプそれぞれの点滅（第１の輝度）および点灯（第２の輝度）の状態を示している。
【００２８】
図４（Ａ）は本発明の第１の実施の形態における加熱調理器の表示部の全てが表示されている状態図（Ｂ）は本発明の第１の実施の形態における加熱調理器の電源を入れた時の表示部の状態図（Ｃ）は本発明の第１の実施の形態における加熱調理器の操作部のメニュー選択キーを押下げた時の表示部の状態図（Ｄ）はメニュー選択時の従来の表示状態図（Ｅ）はメニュー選択時の従来の表示状態図である。
【００２９】
図４（Ａ）において，表示部の全てのランプが表示されている状態を示している。
【００３０】
まず、最初に、使用者が誘導加熱調理器の電源スイッチを押すことにより電源を入れる（電源スイッチは図示していない）。一般的に、誘導加熱調理器は電源スイッチを有し、このスイッチを押して電源を入れることで操作可能となる。
【００３１】
この時の表示部の表示を図４（Ｂ）で表す。図４（Ｂ）は、本発明の第１の実施の形態における加熱調理器の電源を入れた時の表示部の状態図である。加熱調理器である誘導加熱調理器は加熱を開始するためにメニューを選択してから加熱切／入キー１３ｄ（図３）を押下する必要があり、電源を入れた直後ではメニュー選択状態でないため全メニューランプが消灯している。
【００３２】
次に、加熱を開始する前に調理メニューの選択が必要になるため図３の操作部１３のメニュー選択キー１３ｃを１度押下する。この時の表示を図４（Ｃ）に表す。図４（Ｃ）は、本発明の第１の実施の形態における加熱調理器のメニュー選択キーを押下げた時の表示部の状態図である。
【００３３】
メニュー選択キー１３ｃを１度押下したことで加熱メニュー選択状態となっている。このとき、加熱メニューランプ１２ａを第１の輝度で点滅させ、他の揚物・湯沸し・炊飯のメニューランプは第１の輝度より低い第２の輝度で点灯させる。
【００３４】
この表示により、使用者は選択中の加熱メニューランプ１２ａが他のメニューランプよりも高い輝度で点滅していることから、現在選択中のメニューを一目で把握することがで
きる。また、選択していないメニューランプも点灯しているので選択可能なメニュー全てを即座に把握することが可能となる。
【００３５】
次に、図４（Ｄ）はメニュー選択時の従来の表示状態図、図４（Ｅ）はメニュー選択時の従来の表示状態図を示す。まず、図４（Ｄ）では、選択されているメニューランプの表示は図４（Ｃ）と同じく第１の輝度で点滅しているが、選択されていないメニューランプも第１の輝度で点灯させている。
【００３６】
この場合、全てのメニューランプを表示しているので使用者が選択可能な全てのメニューを把握することが可能だが、選択しているメニューランプとそれ以外のメニューランプの輝度が同じであるため、どれが選択中のメニューであるか一目で分かりにくい場合がある。
【００３７】
次に、図４（Ｅ）では、選択されているメニューランプの表示は図４（Ｃ）と同じく第１の輝度で点滅しているが、選択されていないメニューランプを消灯させている。これは、選択されているメニューを一目で判断しやすいが、他の選択可能なメニューが何であるか把握することができない。
【００３８】
これらのことから従来の表示に比べ本発明の表示は視認性に優れていると言える。
【００３９】
次に、図５（Ａ）は本発明の第１の実施の形態における加熱調理器の表示部の全てが表示されている状態図（Ｂ）は本発明の第１の実施の形態における加熱調理器のメニュー選択キーを押下げた時の表示部の状態図である。
【００４０】
図４（Ｃ）の状態から更にメニュー選択キーを（図３）一度押下すると、図５（Ｂ）の状態へ移行する。
【００４１】
図４（Ｃ）と同様に選択中の揚物メニューランプを第１の輝度で点滅し、他のメニューランプを第１の輝度より低い第２の輝度で点灯させている。
【００４２】
更に、メニュー選択キーを押下すると図５（Ｃ）、図５（Ｄ）と移行する。
【００４３】
図５（Ｃ）は本発明の第１の実施の形態における加熱調理器のメニュー選択キーを更に押下げた時の表示部の状態図、図５（Ｄ）は本発明の第１の実施の形態における加熱調理器のメニュー選択キーを更に押下げた時の表示部の状態図である。
【００４４】
図５（Ｅ）は本発明の第１の実施の形態における加熱調理器の加熱切／入キーを押下げた時の表示部の状態図である。
【００４５】
また、図４（Ｃ）の状態から加熱切／入キーを押下すると加熱が始まり、表示は図５（Ｅ）の状態となる。このとき、加熱メニューランプは第１の輝度で点灯し、他のメニューランプは消灯する。
【００４６】
このようにメニュー選択時に選択されているメニューランプの輝度と選択されていないメニューランプの輝度を変えることで視認性に優れた表示を行なうことが可能となる。
【００４７】
ここで、第１の輝度と第２の輝度を切り替える手段を説明する。メニューランプはメンブレンシートを裏からＬＥＤで発光させているので、輝度によりＬＥＤのオン時間を変えることで可能となる。
【００４８】
このオン時間の制御はマイクロコンピュータの出力により行なう。図６（Ａ）が本発明の第１の実施の形態における加熱調理器の第１の輝度でメニューランプを点灯（点滅）させる場合のＬＥＤのオン時間を表した図であり、図６（Ｂ）が本発明の第１の実施の形態における加熱調理器の第２の輝度で点灯させる場合のＬＥＤのオン時間を表した図である。
【００４９】
図のように第１の輝度で点灯（点滅）させる場合の方が、第２の輝度で点灯させる場合のオン時間より長くすることで輝度に差をつけることが可能である。
【００５０】
ただし、ＬＥＤのオン−オフ制御の周期Ｔより求められる周波数ｆは人間の可視限界周波数よりも高い周波数にする必要があり、この可視限界周波数よりも低いと使用者がちらつきを感じてしまう場合があるので注意する必要がある（一般的に可視限界周波数は５０Ｈｚ〜７０Ｈｚと言われている）。
【００５１】
（実施の形態２）
図７（Ａ）は、本発明の第２の実施の形態における加熱調理器である誘導加熱調理器のメニューランプの状態を示す図である。実施の形態１と同様の部分については説明を省略し、異なる部分について説明する。図７（Ｂ）は本発明の第２の実施の形態における加熱調理器の電源を入れた時の表示部の状態図（Ｃ）は本発明の第２の実施の形態における加熱調理器のメニュー選択キーを押下げた時の表示部の状態図（Ｄ）は本発明の第２の実施の形態における加熱調理器のメニュー選択キーを更に押下げた時の表示部の状態図（Ｅ）は本発明の実施の形態２における加熱調理器のメニュー選択キーを更に押下げた時の表示部の状態図である。
【００５２】
最初に、使用者が加熱調理器である誘導加熱調理器の電源スイッチを押すことにより電源を入れる。（電源スイッチは図示していない）この時の表示部の状態を図７（Ｂ）で表す。
【００５３】
この誘導加熱調理器は加熱を開始するためにメニューを選択してから加熱切／入キーを押下する必要があり、電源を入れた直後ではメニュー選択状態でないため全メニューランプが消灯している。
【００５４】
次に、加熱を開始するためにはまず調理メニューの選択が必要になるため、図３の１３ｃのメニュー選択キーを１度押下する。このときの表示を図７（Ｃ）に表す。メニュー選択キーを１度押下したことで加熱メニュー選択状態となる。
【００５５】
このとき、加熱メニューランプ１２ａを第１の輝度で点灯させ、他の揚物・湯沸し・炊飯のメニューランプは第１の輝度より低い第２の輝度で点灯させる。図７（Ｃ）の状態から更にメニュー選択キーを一度押下すると、図７（Ｄ）の状態へ移行する。
【００５６】
図７（Ｃ）と同様に選択中の揚物メニューランプ１２ｂを第１の輝度で点灯し、他のメニューランプを第１の輝度より低い第２の輝度で点灯させている。更にメニュー選択キーを押下すると図７（Ｅ）へ移行していく。
【００５７】
この表示により、使用者は選択中の加熱メニューランプ１２ａが他のメニューランプよりも高い輝度で点灯していることから、現在選択中のメニューを一目で把握することができる。
【００５８】
また、選択していないメニューランプも点灯しているので選択可能なメニュー全てを把握することが可能となる。
【００５９】
（実施の形態３）
図８は、（Ａ）は本発明の第３の実施の形態における加熱調理器の表示部の状態図（Ｂ）は本発明の第３の実施の形態における加熱調理器の電源を入れた時の表示部の状態図（Ｃ）は本発明の第３の実施の形態における加熱調理器のメニュー選択キーを押下げた時の表示部の状態図（Ｄ）は本発明の第３の実施の形態における加熱調理器のメニュー選択キーを更に押下げた時の表示部の状態図（Ｅ）本発明の実施の形態３における加熱調理器のメニュー選択キーを押下げ後所定時間経過した際の表示部の状態図である。実施の形態１と同様の部分については説明を省略し、異なる部分について説明する。
【００６０】
最初に、使用者が誘導加熱調理器の電源スイッチを押すことにより電源を入れる。（電源スイッチは図示していない）この時の表示部の表示を図８（Ｂ）で表す。この誘導加熱調理器は加熱を開始するためにメニューを選択してから加熱切／入キーを押下する必要があり、電源を入れた直後ではメニュー選択状態でないため全メニューランプが消灯している。
【００６１】
次に、加熱を開始するためにはまず調理メニューの選択が必要になるため図３の１３ｃのメニュー選択キーを１度押下する。このときの表示を図８（Ｃ）に表す。メニュー選択キーを１度押下したことで加熱メニュー選択状態となる。このとき、加熱メニューランプを第１の輝度で点滅させ、他の揚物・湯沸し・炊飯のメニューランプを同様の第１の輝度で点灯させる。
【００６２】
続けて、メニュー選択キーを押下した場合の表示を図８（Ｄ）に表す。図８（Ｃ）ではメニュー選択状態以外からメニュー選択状態に移行した際に全メニューランプを第２の輝度より明るい第１の輝度で表示していたが、その状態からメニュー選択キーを押下した場合には実施の形態１と同様に選択されているメニューランプを第１の輝度で点灯させ、選択されていないメニューランプは第１の輝度より低い第２の輝度で点灯させる。
【００６３】
このようにメニュー選択状態以外からメニュー選択状態に移行した際に全メニューランプを第２の輝度より明るい第１の輝度で表示することで、使用者が始めに全メニューの把握を確実に行なうことができ、続けてメニューを選択する場合には選択中のメニューランプが他のメニューランプよりも高い輝度で点灯していることから、現在選択中のメニューを一目で把握することができ、選択していないメニューランプも点灯しているので選択可能なメニュー全てを把握することが可能となる。
【００６４】
また、全メニューランプを第１の輝度で表示する状態から選択されているメニューランプと選択されていないメニューランプの輝度を変える状態へ移行する条件を「メニュー選択キーを押下した場合」としたが、代わりに「一定時間経過した場合」とすることでも同様の効果を得ることができる。
【００６５】
具体的にはメニュー選択状態以外からメニュー選択キーを押下して図８（Ｃ）に移行してから、５秒経過した際に図８（Ｅ）の選択されていないメニューランプを第２の輝度で点灯させる状態に移行させる。使用者は５秒間全メニューランプを第２の輝度より明るい第１の輝度で見ることができ、選択可能なメニュー全てを把握することが可能となる。
【産業上の利用可能性】
【００６６】
以上のように本発明にかかる加熱調理器は、選択されていないメニューに該当するメニューランプの輝度を選択しているメニューに該当するメニューランプの輝度よりも低く点灯させることで、使用者が選択可能な全てメニューの把握がすぐできると同時に、現在選択されているメニューを一目で認識することができるため視認性の向上を図ることが可能
となり、調理器の用途に有効である。
【符号の説明】
【００６７】
３  誘導加熱コイル
１０  表示部
１２Ｌ  メニューランプ
１３ｃ  メニュー選択キー
【図１】
0005655681.tif 000002
【図２】
0005655681.tif 000003
【図３】
0005655681.tif 000004
【図４】
0005655681.tif 000005
【図５】
0005655681.tif 000006
【図６】
0005655681.tif 000007
【図７】
0005655681.tif 000008
【図８】
0005655681.tif 000009